(57)【要約】【課題】電源電圧に基づいて、遮断器が作動する可能性の有無を判断するための許容電圧を、電気機器の駆動による電圧変動以外の要因を排除して設定できるようにしたエアコンプレッサを提供する。【解決手段】エアコンプレッサ１Ａは、電源電圧を検出する電圧検出部７０と、モータ３を駆動することで流れる電流を検出する電流検出部７１と、モータ３の駆動時と非駆動時に電圧検出部７０で検出した電源電圧、及び、モータ３の駆動時に電流検出部７１で検出した電流から電源抵抗を取得し、電源抵抗に応じて電源を遮断する遮断器が非作動となる許容電圧を設定する制御部７を備える。【選択図】図１
2019108826.tif 000002
【特許請求の範囲】
【請求項１】
電源に接続されて使用され、同電源に接続された他の電気機器の駆動に応じた電源電圧の変動に応じて運転を変化させる電気機器であって、
前記電源から供給される電気で駆動される駆動手段と、
前記電源の電源電圧を検出する電圧検出手段と、
前記駆動手段を駆動することで流れる電流を検出する電流検出手段と、
前記駆動手段の駆動時と非駆動時に前記電圧検出手段で検出した電源電圧、及び、前記駆動手段の駆動時に前記電流検出手段で検出した電流から、前記電源を遮断する遮断器が非作動となる閾値を設定する制御手段と
を備えた電気機器。
【請求項２】
前記制御手段は、前記駆動手段の駆動時に取得した電源電圧と閾値を比較し、閾値に対する電源電圧の大小に応じて前記駆動手段の運転を変化させる
請求項１に記載の電気機器。
【請求項３】
前記制御手段は、閾値に対する電源電圧の大小に応じて前記駆動手段の運転を変化させる複数の閾値が設定され、電源電圧が第１の閾値以上であると、前記駆動手段を一時停止させ、電源電圧が第２の閾値以上第１の閾値未満であると、前記駆動手段の出力を一時低下させる
請求項２に記載の電気機器。
【請求項４】
前記制御手段は、閾値に対する電源電圧の大小に応じて前記駆動手段の運転を変化させると共に、報知を行う
請求項２または請求項３に記載の電気機器。
【請求項５】
前記制御手段は、前記駆動手段の負荷に応じて閾値を設定する
請求項１〜請求項４の何れか１項に記載の電気機器。
【発明の詳細な説明】
【技術分野】
【０００１】
本発明は、電源から電気が供給されて駆動される電気機器に関する。
【背景技術】
【０００２】
建築現場では、商用電源、発電機等の電源に接続される複数の電気機器が使用される。このような建築現場で使用される電気機器として、エアコンプレッサがある。エアコンプレッサは、くぎ打ち機等の圧縮空気で作動する工具への圧縮空気の供給手段として作業現場で広く使用されている。
【０００３】
さて、複数の電気機器が同時に使用されると、消費電力が増加し、過電流が流れることで電源の遮断器が作動する可能性がある。遮断器が作動すると、作業を中断し、遮断器を復帰させる操作が必要であり、作業効率が低下する。
【０００４】
エアコンプレッサの場合、作業者はくぎ打ち機等を持ってエアコンプレッサから離れた場所で作業している場合が多く、遮断器が作動してエアコンプレッサが停止していることにすぐには気が付かない場合がある。このような場合、貯蔵した圧縮空気が不足し、打ち込み不良等が発生する場合があり、作業効率が一層低下する。
【０００５】
そこで、電源から供給される電圧を検出し、検出電圧が予め設定された基準電圧に対して低下すると、消費電力を抑制できるようにした電気機器が提案されている（例えば、特許文献１参照）。
【先行技術文献】
【特許文献】
【０００６】
【特許文献１】特開２００６−２８８０５３号公報
【発明の概要】
【発明が解決しようとする課題】
【０００７】
建築現場では、エアコンプレッサ等の電気機器が、コードリール等の延長コードを使用して電源に接続されることが多い。延長コードを使用すると、電圧降下が生じ、かつ、電圧降下量は延長コードの長さにより変動する。このため、検出電圧と予め設定された基準電圧を比較して運転を切り替える方法では、延長コードの使用による電圧降下を、複数の電気機器の使用による電圧降下と誤検知する可能性がある。
【０００８】
本発明は、このような課題を解決するためなされたもので、電源電圧に基づいて、遮断器が作動する可能性の有無を判断するための閾値を、電気機器の駆動による電圧変動以外の要因を排除して設定できるようにした電気機器を提供することを目的とする。
【課題を解決するための手段】
【０００９】
上述した課題を解決するため、本発明は、電源に接続されて使用され、同電源に接続された他の電気機器の駆動に応じた電源電圧の変動に応じて運転を変化させる電気機器であって、電源から供給される電気で駆動される駆動手段と、電源の電源電圧を検出する電圧検出手段と、駆動手段を駆動することで流れる電流を検出する電流検出手段と、駆動手段の駆動時と非駆動時に前記電圧検出手段で検出した電源電圧、及び、駆動手段の駆動時に電流検出手段で検出した電流から、電源を遮断する遮断器が非作動となる閾値を設定する制御手段とを備えた電気機器である。
【００１０】
本発明では、自機及び他の電気機器が駆動されることで電源電圧が変動すると、電源電圧の変動量と閾値を比較して、電源電圧の変動量が閾値を超えないように、駆動手段が制御される。
【発明の効果】
【００１１】
本発明では、遮断器が作動しない閾値を、駆動手段を駆動したことで流れる電流から取得することで、実測値に基づき閾値を設定することが可能である。これにより、電源自体及び電源と電気機器との間の配線の抵抗等の外部要因による電圧変動を排除して、電源電圧から遮断器が作動し得る過電流が流れるか否かを判断できる。
【００１２】
従って、電源電圧から遮断器が作動し得る過電流が流れるか否かを判断でき、遮断器の作動を抑制しつつ、かつ、電気機器の出力を必要以上に低下させることなく運転が可能である。
【図面の簡単な説明】
【００１３】
【図１】本実施の形態のエアコンプレッサの制御系の一例を示す機能ブロック図である。
【図２】本実施の形態のエアコンプレッサの一例を示す一部破断斜視図である。
【図３】操作部の一例を示す説明図である。
【図４】本実施の形態のエアコンプレッサの使用形態の一例を示すブロック図である。
【図５】エアコンプレッサ非駆動時の電源の待機電圧の取得処理の一例を示すフローチャートである。
【図６】駆動電圧の取得処理の一例を示すフローチャートである。
【図７】駆動電流の取得処理の一例を示すフローチャートである。
【図８】許容電圧の取得処理の一例を示すフローチャートである。
【図９】電源電圧の変動に応じてエアコンプレッサを制御する動作の一例を示すフローチャートである。
【発明を実施するための形態】
【００１４】
以下、図面を参照して、本発明の電気機器の一例として、エアコンプレッサの実施の形態について説明する。
【００１５】
＜本実施の形態のエアコンプレッサの構成例＞
図１は、本実施の形態のエアコンプレッサの制御系の一例を示す機能ブロック図、図２は、本実施の形態のエアコンプレッサの一例を示す一部破断斜視図である。
【００１６】
本実施の形態のエアコンプレッサ１Ａは、図２に示すように、気体の一例である空気を圧縮する圧縮部２と、圧縮部２を駆動するモータ３と、圧縮部２で圧縮される空気を貯蔵する少なくとも１つのタンク４を備える。エアコンプレッサ１Ａは、圧縮部２、モータ３及びタンク４を備えて本体部５が構成される。
【００１７】
圧縮部２は圧縮手段の一例で、本例では図示しないピストンの往復運動によりシリンダ容積を変化させることで空気を圧縮するレシプロ圧縮機と称される構成である。圧縮部２は、図示しない吸気口とタンク４とを接続し、吸気口から空気を吸い込み、吸い込んだ空気をタンク４に圧送して、タンク４内に圧縮された空気を貯蔵する。
【００１８】
モータ３は駆動手段の一例で、電気の供給を受けて駆動される。圧縮部２は、モータ３の駆動及び停止、回転数の制御により、タンク４内の圧力を制御する。
【００１９】
タンク４は貯蔵手段の一例で、空気取出口４０が減圧弁４０ａを介して接続される。空気取出口４０は、圧縮空気で作動する工具に接続されたホースが着脱可能に接続される。エアコンプレッサ１Ａは、空気取出口４０にホースが接続されていない状態では、図示しないバルブが閉じている。これに対し、空気取出口４０にホースが接続されることで、図示しないバルブが開き、タンク４に貯蔵された圧縮空気が工具に供給される。
【００２０】
エアコンプレッサ１Ａの本体部５は、金属等で構成される支持体５０に本例では２本のタンク４が取り付けられ、支持体５０を介してタンク４の上側に圧縮部２及びモータ３が取り付けられる。
【００２１】
エアコンプレッサ１Ａは、圧縮部２及びモータ３を覆う形状で、本体部５の上部を覆うカバー５１を備える。カバー５１は例えば樹脂で構成され、タンク４に設けられた受け部４１にネジ４２により取り付けられる。
【００２２】
エアコンプレッサ１Ａは、電源のＯＮ、ＯＦＦ、動作モードの選択等の各種操作、タンク４内の圧力値の表示等、各種情報の出力が行われる操作部６を備える。操作部６は操作手段の一例で、カバー５１の上面に設けられる。
【００２３】
図３は、操作部の一例を示す説明図である。操作部６は、電源のＯＮ、ＯＦＦを選択する電源ボタン６０ａと、動作モードとして運転モードを選択する運転モード選択ボタン６０ｂを備える。
【００２４】
また、操作部６は、電源のＯＮ、ＯＦＦの状態を示す電源ランプ６１ａと、選択された運転モードを示す運転モード選択ランプ６１ｂと、タンク４内の圧力値等を表示する表示部６１ｄを備える。
【００２５】
図４は、本実施の形態のエアコンプレッサの使用形態の一例を示すブロック図であり、次に、本実施の形態のエアコンプレッサ１Ａの使用形態について説明する。エアコンプレッサ１Ａは、図４に示すように、商用電源、発電機等の電源１０のコンセント１０ａに、電源プラグ１１ａ及びコード１１ｂを介して接続され、電気の供給を受ける。電源１０には、他の電気機器１２が電源プラグ１１ａ及びコード１１ｂを介して接続される。電源１０は、遮断器１０ｂが設けられ、予め設定されている許容電流を超える過電流が流れる場合に、遮断器１０ｂで電気の供給を遮断する。
【００２６】
次に、本実施の形態のエアコンプレッサ１Ａの制御機能について説明する。エアコンプレッサ１Ａは、自機が接続されている電源１０の電圧の変動に応じて、自機の消費電力を抑制する運転を実行する制御部７と、消費電力を抑制した運転に従い、モータ３を駆動する駆動制御部７５を備える。制御部７は制御手段の一例で、マイクロプロセッサ等で構成される。駆動制御部７５は駆動制御手段の一例で、マイクロプロセッサ、メモリ等で構成される。
【００２７】
エアコンプレッサ１Ａは、電圧検出部７０と電流検出部７１を備える。電圧検出部７０は電圧検出手段の一例で、電源１０の電圧を検出する。電圧検出部７０は、電源１０から供給される電圧の波形を監視し、異常の有無を報知することが可能である。電流検出部７１は電流検出手段の一例で、駆動制御部７５でモータ３を駆動することで流れる電流を検出する。
【００２８】
エアコンプレッサ１Ａは、電圧検出部７０で検出した電源１０の電圧の値、電流検出部７１で検出した電流の値等を記憶する記憶部７２を備える。記憶部７２は記憶手段の一例で、ＲＯＭ、ＲＡＭ等の半導体メモリで構成される。
【００２９】
エアコンプレッサ１Ａは、音を出力する報知部８を備える。報知部８は報知手段の一例で、例えばビープ音を出力するブザーで構成される。
【００３０】
＜本実施の形態のエアコンプレッサの動作例＞
図５は、待機電圧の取得処理の一例を示すフローチャート、図６は、駆動電圧の取得処理の一例を示すフローチャート、図７は、駆動電流の取得処理の一例を示すフローチャート、図８は、許容電圧の取得処理の一例を示すフローチャートであり、次に、本実施の形態のエアコンプレッサ１Ａの動作例について、各図を参照して説明する。
【００３１】
図４に示すように、エアコンプレッサ１Ａが、電源１０のコンセント１０ａに、電源プラグ１１ａ及びコード１１ｂを介して接続され、図３に示す操作部６の電源ボタン６０ａの操作で電源がＯＮにされると、制御部７は、電源１０の電圧を監視し、電源１０の待機電圧を取得する処理を行う。待機電圧とは、エアコンプレッサ１Ａのモータ３が非駆動、かつ、同一の電源１０に他の電気機器１２が接続されている場合、他の電気機器１２が非駆動の状態における電源１０の電圧である。このため、電源１０の待機電圧を取得する処理は、同一の電源１０に接続された他の電気機器１２が非駆動の状態で行う。
【００３２】
すなわち、制御部７は、図５のステップＳＡ１で、エアコンプレッサ１Ａのモータ３が非駆動の状態であるか判断する。モータ３が非駆動の状態であると、制御部７は、ステップＳＡ２で、電圧検出部７０により電源１０の電圧値を待機電圧Ｖｒｅｆとして取得し、記憶部７２に記憶する。そして、制御部７は、ステップＳＡ３で所定の時間、例えば２（ｓ）経過したか判断し、モータ３が非駆動の状態であると、所定の時間毎に待機電圧Ｖｒｅｆを取得する。
【００３３】
また、図３に示す操作部６の運転モード選択ボタン６０ｂの操作で運転モードが選択されると、制御部７は、設定された運転モードに従いモータ３を制御して、タンク４に圧縮空気を貯蔵すると共に、駆動中の電源１０の電圧を監視する。
【００３４】
すなわち、制御部７は、図６のステップＳＢ１で、設定された運転モードに従い駆動制御部７５により所定の出力でモータ３を駆動し、ステップＳＢ２で、電圧検出部７０により電源１０の電圧値を駆動電圧Ｖｄとして取得し、記憶部７２に記憶する。駆動電圧Ｖｄは、エアコンプレッサ１Ａのモータ３のみを駆動した場合の電源１０の電圧であり、同一の電源１０に他の電気機器１２が接続されている場合、他の電気機器１２は非駆動の状態での電源電圧である。そして、制御部７は、ステップＳＢ３で所定の時間、例えば２（ｓ）経過したか判断し、モータ３が駆動されていると、所定の時間毎に駆動電圧Ｖｄを取得する。
【００３５】
更に、制御部７は、設定された運転モードに従いモータ３を制御して、タンク４に圧縮空気を貯蔵すると共に、駆動中に自機で流れる電流を監視する。
【００３６】
すなわち、制御部７は、図７のステップＳＣ１で、設定された運転モードに従い駆動制御部７５により所定の出力でモータ３を駆動し、ステップＳＣ２で、電流検出部７１により電流値をモータ３の駆動電流Ａｄとして取得し、記憶部７２に記憶する。そして、制御部７は、ステップＳＣ３で所定の時間、例えば４０（ｍｓ）経過したか判断し、所定の時間毎に駆動電流Ａｄを取得する。
【００３７】
制御部７は、待機電圧Ｖｒｅｆ、駆動電圧Ｖｄ及び駆動電流Ａｄを取得すると、エアコンプレッサ１Ａが駆動されている状態における電源抵抗を取得する。また、電源抵抗を取得することで、遮断器１０ｂが作動しない閾値として許容電圧を取得する。
【００３８】
すなわち、制御部７は、設定された運転モードに従い駆動制御部７５により所定の出力でモータ３の駆動を開始後、図８のステップＳＤ１で所定の時間、例えば１０（ｓ）経過したか判断し、ステップＳＤ２で、所定の時間経過後に、エアコンプレッサ１Ａが接続される電源１０において、エアコンプレッサ１Ａが作動することで電流が流れる際の抵抗である電源抵抗Ｒを、以下の（１）式から求めて、記憶部７２に記憶する。
【００３９】
電源抵抗Ｒ＝（待機電圧Ｖｒｅｆ−駆動電圧Ｖｄ）／駆動電流Ａｄ・・・（１）
【００４０】
電源１０は、遮断器１０ｂに流れる電流が予め定められた許容電流Ａｃを超えると、遮断器１０ｂが作動する。（１）式から、エアコンプレッサ１Ａが接続される電源１０における電源抵抗Ｒが求められることで、電源１０に許容電流Ａｃが流れる際に降下する電圧が求められ、電源１０に許容電流Ａｃが流れる際の電圧の降下分が、遮断器１０ｂが作動しない許容電圧となる。すなわち、許容電圧ΔＶが、遮断器１０ｂが作動しない電圧の閾値となる。
【００４１】
そこで、制御部７は、ステップＳＤ３で、エアコンプレッサ１Ａが接続される電源１０における電源抵抗Ｒと、遮断器１０ｂが作動しない許容電流Ａｃから、遮断器１０ｂが作動しない許容電圧ΔＶを以下の（２）式から求めて、記憶部７２に記憶する。
【００４２】
許容電圧ΔＶ＝電源抵抗Ｒ×許容電流Ａｃ・・・（２）
【００４３】
以上の処理により、制御部７は、待機電圧Ｖｒｅｆ、駆動電圧Ｖｄ及び駆動電流Ａｄを取得して記憶部７２に記憶し、かつ、所定のタイミングで待機電圧Ｖｒｅｆ、駆動電圧Ｖｄ及び駆動電流Ａｄを更新する。待機電圧Ｖｒｅｆ、駆動電圧Ｖｄ及び駆動電流Ａｄは、それぞれ所定時間毎に取得した複数の値の平均を算出して、これを使用しても良い。また、最大値を使用しても良い。更に、制御部７は、所定のタイミングで電源抵抗Ｒ及び許容電圧ΔＶを求めて記憶部７２に記憶する。
【００４４】
ここで、遮断器１０ｂの許容電流Ａｃは、電源１０毎に異なることから、エアコンプレッサ１Ａでは、操作部６で許容電流Ａｃが設定され、記憶部７２に記憶される。これにより、許容電流Ａｃに応じて許容電圧ΔＶの設定が可能である。
【００４５】
図９は、電源電圧の変動に応じてエアコンプレッサを制御する動作の一例を示すフローチャートであり、以下に、同一の電源１０に接続されたエアコンプレッサ１Ａ及び他の電気機器１２が駆動される際に、電源電圧の変動に応じてエアコンプレッサ１Ａを制御して、遮断器１０ｂの作動を抑制する動作について説明する。
【００４６】
制御部７は、図９のステップＳＥ１で、設定された運転モードに従い駆動制御部７５により所定の出力でモータ３を駆動し、ステップＳＥ２で、所定の時間毎、例えば１２０（ｍｓ）毎に電圧検出部７０により電源１０の電圧値を駆動中電圧Ｖｄｒとして取得し、記憶部７２に記憶する。駆動中電圧Ｖｄｒは、同一の電源１０にエアコンプレッサ１Ａと他の電気機器１２が接続されている場合に、エアコンプレッサ１Ａのモータ３を駆動した場合のみならず、他の電気機器１２も駆動されている場合の電源電圧である。
【００４７】
エアコンプレッサ１Ａが駆動されると、電源電圧が低下する。また、エアコンプレッサ１Ａが接続された電源１０に他の電気機器１２が接続されている場合、他の電気機器１２が駆動されると、更に電源電圧が降下する。制御部７は、ステップＳＥ３で、エアコンプレッサ１Ａ、更に他の電気機器１２が駆動されることによる降下電圧ΔＶｒを、以下の（３）式により算出する。
【００４８】
降下電圧ΔＶｒ＝待機電圧Ｖｒｅｆ−駆動中電圧Ｖｄｒ・・・（３）
【００４９】
制御部７は、降下電圧ΔＶｒと許容電圧ΔＶを比較し、許容電圧ΔＶに対する降下電圧ΔＶｒの第１の閾値として、ステップＳＥ４で降下電圧ΔＶｒが許容電圧ΔＶのｎ倍以上、例えば２倍程度（第１の閾値以上）であると、遮断器１０ｂが作動する過電流が流れる可能性があると判断し、ステップＳＥ５で、モータ３の駆動をｍ１秒間停止する。モータ３の停止時間ｍ１は、例えば数秒程度である。
【００５０】
制御部７は、降下電圧ΔＶｒと許容電圧ΔＶを比較し、許容電圧ΔＶに対する降下電圧ΔＶｒの第２の閾値として、ステップＳＥ６で降下電圧ΔＶｒが許容電圧ΔＶ以上許容電圧ΔＶのｎ倍未満（第２の閾値以上第１の閾値未満）であると、遮断器１０ｂが作動する過電流が流れる可能性があると判断し、ステップＳＥ７で、モータ３の出力をｍ２秒間低下させる。モータ３の出力を低下させる時間ｍ２は、例えば数秒程度である。遮断器１０ｂが作動する過電流が流れる可能性に応じてモータ３の駆動を停止する時間ｍ１と、モータ３の出力を低下させる時間ｍ２は、異なる値であっても良いし、同じ値であっても負い。なお、モータ３を再駆動するための許容電圧ΔＶに対する降下電圧ΔＶｒの閾値は、複数あっても良く、段階的に出力が変えられるようにしても良い。これにより、他の電気機器１２の使用を継続しつつ、消費電力を抑制しながらエアコンプレッサ１Ａを使用することができる。
【００５１】
また、降下電圧ΔＶｒと許容電圧ΔＶを比較し、遮断器１０ｂが作動する過電流が流れる可能性があると判断すると、操作部６の表示部６１ｄで表示による報知、報知部８で音による報知を行う。これにより、エアコンプレッサ１Ａの使用者、他の電気機器１２の使用者に、遮断器１０ｂが作動する可能性があることを報知し、機器の使用の抑制を促すことができる。
【００５２】
ここで、モータ３の駆動を停止後、所定の時間毎に降下電圧ΔＶｒを取得し、降下電圧ΔＶｒが許容電圧ΔＶ未満（第２の閾値未満）となると、モータ３を再駆動しても良い。また、モータ３の駆動を停止後、所定の時間毎に降下電圧ΔＶｒを取得し、降下電圧ΔＶｒが許容電圧ΔＶ以上許容電圧ΔＶのｎ倍未満（第２の閾値以上第１の閾値未満）であると、モータ３の出力を低下させて再駆動しても良い。更に、モータ３の出力を低下後、所定の時間毎に降下電圧ΔＶｒを取得し、降下電圧ΔＶｒが許容電圧ΔＶ未満（第２の閾値未満）であると、モータ３の出力を、設定された運転モードに従う所定の出力に戻しても良い。
【００５３】
また、モータ３の駆動開始時には、負荷が大きく瞬間的に大きな電流が流れることから、モータ３の駆動開始時に流れる電流を開始時電流Ａｓとして記憶しておき、開始時電流Ａｓに基づきΔ許容電圧Ｖを算出する。制御部７は、上述したモータ３の再駆動時に、降下電圧ΔＶｒと、開始時電流Ａｓに基づく許容電圧ΔＶを比較して、降下電圧ΔＶｒが、遮断器１０ｂが作動する過電流が流れないような値となると、モータ３を再駆動する。
【００５４】
更に、エアコンプレッサ１Ａの場合、モータ３の負荷が圧縮部２の温度、タンク４内の圧力、モータ３の駆動を停止している時間に応じたタンク４内の圧力低下等によって変化するので、負荷の変動に基づき許容電圧ΔＶを算出しても良い。これにより、再駆動時に過電流が流れ、遮断器１０ｂが作動することが抑制される。
【００５５】
＜本実施の形態のエアコンプレッサの作用効果＞
電源１０に接続されたエアコンプレッサ１Ａ及び他の電気機器１２が非駆動の状態で、電源１０に接続されたエアコンプレッサ１Ａにより電源電圧を待機電圧Ｖｒｅｆとして取得することで、延長コードの使用等で電圧降下が生じている場合、これに応じた待機電圧Ｖｒｅｆが取得される。
【００５６】
エアコンプレッサ１Ａにおいて、モータ３の駆動時の電源電圧を駆動電圧Ｖｄとして取得すると共に、自機に流れる電流を駆動電流Ａｄとして取得することで、待機電圧Ｖｒｅｆ、駆動電圧Ｖｄ及び駆動電流Ａｄから、モータ３が駆動された場合における電源抵抗Ｒを取得可能である。
【００５７】
モータ３の駆動による電圧降下分に基づき電源抵抗Ｒを取得することで、電源電圧の変動に応じて、電流がどの程度流れているか推定可能となる。例えば、電源抵抗Ｒが１（Ω）であると、モータ３の駆動による電圧降下分が２０（Ｖ）であった場合、２０（Ａ）の電流が流れていることになる。同じ電源１０に接続された他の電気機器１２が駆動された場合も、電圧降下分から電流が推定可能である。
【００５８】
従って、例えば、遮断器１０ｂが作動しない許容電流Ａｃが２０（Ａ）である場合、電源抵抗Ｒが１（Ω）であると、許容電圧ΔＶは２０（Ｖ）となる。この例では、エアコンプレッサ１Ａは、自機及び他の電気機器１２が使用されることで、電源１０の電圧が低下した場合に、実測した降下電圧ΔＶｒが２０（Ｖ）以上になると、遮断器１０ｂが作動する可能性があると判断し、モータ３の制御を切り替える。
【００５９】
このように、遮断器１０ｂが作動しない許容電圧ΔＶを設定するための電源抵抗Ｒを、モータ３を駆動したことで流れる駆動電流Ａｄから取得することで、実測値に基づき許容電圧ΔＶを設定することが可能である。これにより、電源１０自体及び電源１０とエアコンプレッサ１Ａとの間の配線の抵抗等の外部要因による電圧変動を排除して、許容電圧ΔＶを設定することができ、この許容電圧ΔＶと、電源電圧の降下分である降下電圧ΔＶｒから、遮断器１０ｂが作動し得る過電流が流れるか否かを判断できる。
【００６０】
従って、瞬間的な停電や、整流の乱れ等、電源１０自体の要因による電圧変動、及び、電源１０とエアコンプレッサ１Ａとの間の配線の抵抗の大小等の要因による電圧変動による誤検知が排除され、電源電圧から遮断器１０ｂが作動し得る過電流が流れるか否かを判断できる。これにより、同一の電源１０に他の電気機器１２が接続され、エアコンプレッサ１Ａを含む複数の電気機器が同時に使用される場合、遮断器１０ｂが作動し得る過電流が流れる前に、エアコンプレッサ１Ａのモータ３を一時的に停止させる、あるいは、モータ３の出力を一時的に低下させることができる。よって、エアコンプレッサ１Ａでの消費電力のみならず、他の電気機器１２での消費電力の大小に応じて、遮断器１０ｂが作動しないように、エアコンプレッサ１Ａのモータ３を制御することができる。また、エアコンプレッサ１Ａの能力を必要以上に低下させないモータ３の運転が可能である。従って、遮断器１０ｂの作動を抑制しつつ、かつ、エアコンプレッサ１Ａの能力を必要以上に低下させることなく運転が可能である。
【００６１】
また、同一の電源１０に接続された他の電気機器１２に流れる電流を取得することなく、電源電圧から遮断器１０ｂが作動し得る過電流が流れるか否かを判断できる。
【産業上の利用可能性】
【００６２】
本発明は、圧縮空気で作動する工具に圧縮空気を供給するエアコンプレッサに適用される。
【符号の説明】
【００６３】
１Ａ・・・エアコンプレッサ、２・・・圧縮部、３・・・モータ（駆動手段）、４・・・タンク、６・・・操作部、７・・・制御部（制御手段）、７０・・・電圧検出部（電圧検出手段）、７１・・・電流検出部（電流検出手段）、１０・・・電源、１０ｂ・・・遮断器、１２・・・電気機器
【図１】
2019108826.tif 000003
【図２】
2019108826.tif 000004
【図３】
2019108826.tif 000005
【図４】
2019108826.tif 000006
【図５】
2019108826.tif 000007
【図６】
2019108826.tif 000008
【図７】
2019108826.tif 000009
【図８】
2019108826.tif 000010
【図９】
2019108826.tif 000011